(57)【要約】カラー投射システムは、ランプ及び、ランプからの光をＬＣマイクロディスプレイパネル上に回折する少なくとも１つの回折格子、或いは少なくとも１つのプリズムを備える。少なくとも１つの回折格子、或いは少なくとも１つのプリズムのいずれかをランプからの入射光に関して移動させることによって、ＬＣマイクロディスプレイパネルによって受光された回折光は順に赤、緑及び青の光を含む。
2007524866.tif 000002
【特許請求の範囲】
【請求項１】
ランプと、
前記ランプからの光を回折して回折ビームにするように構成された少なくとも１つの回折格子と、
前記回折格子からの前記回折ビームを受光するように構成されたＬＣマイクロディスプレイパネルと、を備え、
少なくとも１つの前記回折格子を前記ランプからの光に関して移動させることによって、前記ＬＣマイクロディスプレイによって受光された前記回折ビームが順次、赤回折ビーム、青回折ビーム、及び緑回折ビームを含み、
前記ＬＣマイクロディスプレイパネルが順次、前記赤回折ビームをイメージの赤サブフレームに、前記緑回折ビームを前記イメージの緑サブフレームに、前記青回折ビームを前記イメージの青サブフレームに調整するように構成されているカラー投射システム。
【請求項２】
少なくとも１つの前記回折格子を前記ランプからの光に関して移動させるモーターをさらに備える請求項１に記載のカラー投射システム。
【請求項３】
前記モータが、前記回折格子をある角度範囲内で振動させることによって前記回折格子を移動させるように構成されている請求項２に記載のカラー投射システム。
【請求項４】
少なくとも１つの前記回折格子が、赤、緑及び青からなる群より選択された１つの異なる色をそれぞれ回折するように構成されている３つの回折格子を備える請求項１に記載のカラー投射システム。
【請求項５】
少なくとも１つの前記回折格子が、反射型格子である請求項１に記載のカラー投射システム。
【請求項６】
少なくとも１つの前記回折格子が、透過型格子である請求項１に記載のカラー投射システム。
【請求項７】
前記ＬＣマイクロディスプレイパネルが、反射型ＬＣマイクロディスプレイパネルである請求項１に記載のカラー投射システム。
【請求項８】
前記ＬＣマイクロディスプレイパネルが、透過型ＬＣマイクロディスプレイパネルである請求項１に記載のカラー投射システム。
【請求項９】
少なくとも１つの回折格子上に入射する光ビームを提供するステップと、
ＬＣマイクロディスプレイパネルに投射される、少なくとも１つの前記回折格子からの回折光ビームが順次赤回折ビーム、緑回折ビーム、及び青回折ビームを含むように、少なくとも１つの前記回折格子を、入射する前記光ビームに関して移動させるステップと、
前記ＬＣマイクロディスプレイパネルによって受光された、前記赤回折ビームをイメージの赤サブフレームを形成するように、前記緑回折ビームを前記イメージの緑サブフレームを形成するように、そして、前記青回折ビームを前記イメージの青サブフレームを形成するように、順次調整するステップと、を含むカラー投射方法。
【請求項１０】
少なくとも１つの前記回折格子を移動させる前記ステップが、少なくとも１つの前記回折格子をある角度範囲内で振動させるステップを含む請求項１７に記載のカラー投射方法。
【請求項１１】
前記入射する光ビームを提供する前記ステップが、
赤、緑及び青からなる群より選択された１つの異なる色をそれぞれ回折するように構成されている３つの回折格子のいずれか１つの上に入射する光ビームを提供するステップを含み、
少なくとも１つの前記回折格子を移動させる前記ステップが、
各回折格子が前記入射光ビームを順次回折して各々の選択された色にするように、３つの前記回折格子を前記入射光ビームに関して移動させるステップを含む請求項１７に記載のカラー投射方法。
【発明の詳細な説明】
【技術分野】
【０００１】
本発明は、基本的にカラーイメージ投射システムに関し、特に、単一液晶（ＬＣ）マイクロディスプレイパネルを必要とするカラーイメージ投射システムに関する。
【背景技術】
【０００２】
大画面テレビに使用するように、液晶（ＬＣ）マイクロディスプレイパネルを使用してスクリーンに投射された光を調整するカラーイメージ投射システムは、多くの技術的な挑戦及び製造原価の挑戦に直面している。これらの挑戦は、従来のＬＣ−マイクロディスプレイ−パネルを基にしたカラーイメージ投射システムに関連させてさらに説明されうる。そのようなシステムでは、光源の存在が必要であり、光源は、１つ以上のＬＣマイクロディスプレイパネルを収容する光弁によって調整されてから、生じた調整光がユーザーの観覧のためにスクリーンに投射される。所望の観覧可能なカラーイメージを得るために、三原色（典型的に赤（Ｒ）、緑（Ｇ）及び青（Ｂ））は、光源によって提供される白色光から分解される。これらの原色は、１つ以上の光弁によって別々に調整され、そして、再結合されて、或いは重ね合わせられてイメージを形成する。
【０００３】
イメージが、別々に調整されたＲＧＢ着色光のビームにより形成されるので、光源によって提供される白色光からこれらの色を分解する所定の手段がなければならない。それらの色分解手段はダイクロイックミラー、プリズム立方体及びカラーホイールでありうる。光弁は、１枚が赤の光を調整し、１枚が緑の光を調整し、もう１枚が青の光を調整するような３枚のＬＣマイクロディスプレイパネルを備え得る。代替的に、光弁は、サブピクセル（調整される色毎に１つのサブピクセル）を使用してＲＧＢ光を同時に調整する唯１枚の単一ＬＣマイクロディスプレイパネルを備えてもよい。より最近では、フィリップスは「カラーをスクロールする」と呼ばれたスキームを使用する、単一ＬＣＯＳ（シリコン上の液晶）マイクロディスプレイパネルの投射システムを提案した。即ち、ＲＧＢ色分解の後、３つの回転プリズムを使用して、ＲＧＢ色を赤、緑及び青のそれぞれのフィールドシーケンスで「スクロールする」。そして、スクロールされたＲＧＢビームは、単一マイクロディスプレイパネルによって再編成され調整されてからスクリーンに投射される。
【０００４】
光弁が１枚あるいは３枚のＬＣマイクロディスプレイパネルを備えるかどうかにかかわらず、そのような従来のカラー投射システムの設計には多くの問題が生じている。例えば、３つのダイクロイックミラーの使用は構成要素のコストを増大させ、且つ分解されたＲＧＢ信号を再編成する問題を生じさせている。そして、少しの誤編成も、投射されたイメージをぼかし、及び／又はイメージにカラーシフトをもたらしてしまう。代わりに、ＲＧＢ光を分解するためにカラーホイールが使用される場合、相当なパワー損失が起こって光源の効果的な使用を不可能にする。また、仮に３枚のＬＣマイクロディスプレイパネルが使用されて別々に分解されたＲＧＢビームを個々に調整する場合、高価で厄介なアラインメントレンズが、別々に調整された光ビームを単一ＲＧＢイメージへ再編成するために必要であり、この結果、３枚のＬＣマイクロディスプレイパネルを提供する費用にさらなるコストを加えてしまう。更に、ＲＧＢサブピクセルを含む唯１枚の単一ＬＣマイクロディスプレイパネルが赤、緑及び青ビームを同時に調整するように使用される場合、高価で厄介なアラインメントレンズはビームをそれぞれのＲＧＢサブピクセルへ正確に向けるために依然として必要とされる。このほか、Ｒ、Ｇ及びＢ着色サブピクセルを各々に備えたピクセルを有する単一ＬＣマイクロディスプレイパネルは、複雑な設計及び製造工程を要求し、その結果、全体製品収量を低減し、コストを増大させてしまう。フィリップスのより先進な単一ＬＣＯＳパネルの設計も依然として、分解されたＲＧＢビーム及び関連する複雑な光学系を再編成し、コストを増大させてしまう問題がある。
【発明の開示】
【発明が解決しようとする課題】
【０００５】
従って、個々のＲＧＢ着色イメージを再編成、再結合することを必要とせず、光源の効率的な使用を可能にし、簡単な光学系を有する改善されたカラーイメージ投射システムの技術が必要とされている。
【課題を解決するための手段】
【０００６】
本発明の一側面によれば、カラー投射システムが提供される。該システムは、ランプと、前記ランプからの光を回折して回折ビームにするように構成された少なくとも１つの回折格子と、少なくとも１つの前記回折格子からの前記回折ビームを調整するように構成されたＬＣマイクロディスプレイパネルとを備え、少なくとも１つの前記回折格子を前記ランプからの光に関して移動させることによって、前記回折ビームが順次、赤、緑、及び青ビームを含む。
【０００７】
本発明の別の一側面によれば、カラー投射システムが提供される。該システムは、ランプと、前記ランプからの光を回折して回折ビームにするように構成された少なくとも１つのプリズムと、少なくとも１つの前記プリズムからの前記回折ビームを調整するように構成されたＬＣマイクロディスプレイパネルとを備え、少なくとも１つの前記プリズムを前記ランプからの光に関して移動させることによって、前記回折ビームが順次、赤、緑、及び青ビームを含む。
【０００８】
本発明の別の一側面によれば、１つの方法が提供される。該方法は、少なくとも１つの回折格子上に入射する光ビームを提供するステップと、少なくとも１つの前記回折格子からの回折光ビームが順次、赤、緑、及び青の光を含むように、少なくとも１つの前記回折格子を入射する前記光ビームに関して移動させるステップと、前記ＬＣマイクロディスプレイパネルによって受光された、順次供給された赤、緑、及び青の光を調整してスクリーンにイメージを投射するステップとを含む。
【０００９】
本発明の別の一側面によれば、１つの方法が提供される。該方法は、少なくとも１つのプリズム上に入射する光ビームを提供するステップと、少なくとも１つの前記プリズムからの回折光ビームが順次、赤、緑、及び青の光を含むように、少なくとも１つの前記プリズムを入射する前記光ビームに関して移動させるステップと、前記ＬＣマイクロディスプレイパネルによって受光された、順次供給された赤、緑、及び青の光を調整してスクリーンにイメージを投射するステップとを含む。
【発明を実施するための最良の形態】
【００１０】
図１は、白色光を赤、緑及び青ビームへ分解する間に通常受ける固有ロスを改善するカラー投射システム１００の構成を示す図である。白色光のビームを供給するランプ１０５は、超高圧（ＵＨＰ）ランプあるいは他の適切なランプでありうる。単一ＬＣマイクロディスプレイパネル１１０は、ランプ１０５によって供給される白色光から分解された赤、緑及び青の光のビームを受光する。ＬＣマイクロディスプレイパネル１１０は当技術分野で周知のように、スクリーン１２０に投射されるイメージ用のピクセルが適切な値の赤、緑及び青の光を含み、よって、各ピクセルが所望の色を得られるようにこれらのビームを調整する。図示された実施の形態では、ＬＣマイクロディスプレイパネル１１０は、反射構成で偏光ビームスプリッター１３０と結合されている。しかし、当然のことながら、当技術分野で周知のように、ＬＣマイクロディスプレイパネル１１０は、透過構成で使用されてもよい。反射構成又は透過構成のいずれで構成されるかにかかわらず、ＬＣマイクロディスプレイパネル１１０は、当技術分野で周知のように軸上に配置され、あるいは軸からずれて配置される。
【００１１】
回折格子１４０は、ランプ１０５によって供給された白色光ビーム１４５を回折して回折ビームにするために使用されうる。図示された実施の形態では、回折格子１４０は反射型格子である。しかし、当然のことながら、回折格子１４０が、本明細書でさらに説明されるように透過型回折格子であることもありうる。回折格子の物理が周知である。例えば、入射光ビーム２００と、反射型回折格子２２０からの一次回折ビーム２０５及び負の一次回折ビーム２１０との関係を示す図２ａを考える。回折されたビーム２０５及び２１０と入射ビーム２００との関係は、回折格子２２０の表面上に形成されたグルーブ間の間隔“ｄ”によって決定される。この関係は、次の式によって数学的に与えられる：
ｍλ  ＝  ｄ（ｓｉｎα＋ｓｉｎβ）  式１
ここで、角度α及びβは、回折格子２２０によって定義される平面の法線２２５に関して定義され、λは入射光ビームの波長である。また、ｍは回折次数を定義する整数値である。角度α及びβは、法線２２５の隣にある正及び負の符号によって示されるように、生じた回折ビームが法線２２５のどちら側にあるかに依存して正又は負の値を有する。回折したビームの回折次数を示すために、角度βは添字を与えられている。式１及び図２ａから、入射光ビーム２００の角度α及び周波数が与えられれば、回折されたビーム２０５及び２１０の角度β１及びβ−１はそれぞれ決定されることが分かる。
【００１２】
また図１には、角度α及びβも示されている。一般論のために、βの回折次数ｍは示されていない。一般的に、考えられる限りではどんな回折次数も使用することができるが、ｍ＝１あるいはｍ＝−１の値は回折されたビーム１５０に最大のパワーを提供する。したがって、以下の議論ではβがどちらか一方の回折次数に対応するものであると仮定する。回折格子１４０上に入射する光ビーム１４５は、図２ａに関して説明された入射ビーム２００のような単色ビームでない。その代りに、白色光ビーム１４５は典型的に、図３に示されているようなスペクトル３００を有する。スペクトル３００に対する考察は、それぞれＢ、Ｇ及びＲの文字によって表示される青、緑及び赤の波長に輝度パワー（波長の１ナノメートル当たりのミリワットの単位で）が集中していることを示す。青の波長は約４５０ナノメートルの波長に相当し、緑の波長は約５５０ナノメートルの波長に相当する。最後に、赤の波長は約６９０ナノメートルの波長に相当する。当然のことながら、ランプ１０５の実際のスペクトルがスペクトル３００と異なりうるが、当技術分野で周知のように、実際のスペクトルはやはり、Ｒ、Ｇ及びＢの波長に集中する。要するに、ランプ１０５からの白色光ビーム１４５が主として、Ｒ、Ｇ及びＢビームの組み合わせからなると考えてもよいことになる。例えばポイント１５５での軸に関して回折格子１４０を回転させるか振動させることによって、αとβの適切な値が生成されて、その結果、回折されたビーム１５０がＲ、Ｇ、又はＢのビームのいずれか１つを含む。例えば、角度範囲１６０内で回折格子１４０を振動させることによって、回折されたビーム１５０はＲ、Ｇ、又はＢのビームのいずれか１つを順次含むことができる。
【００１３】
有利なことに、回折格子１４０は、ダイクロイックミラーあるいはカラーホイールが使用されて白色光ビーム１４５を分光する場合に被るパワー損失より、著しく少ないパワー損失を回折されたビーム１５０にもたらす。さらに、Ｒ、Ｇ及びＢビームのそれぞれの個別イメージに関して再編成手段を必要としないため、カラー投射システム１００の製造をより単純化し、それにより、原価の削減を達成することができる。また、順次投射のためにサブピクセルを必要としない単一ＬＣマイクロディスプレイパネルの使用は、更なる原価の削減及び製造の単純化をもたらす。それに、これらの顕著な利点は、回折格子１４０が図２ｂに示されている格子２５０のような透過型回折格子である場合でも達成されうる。格子２５０が透過型回折格子であるので、回折された一次ビーム２０５及び２１０は、入射ビーム２００に関して格子２５０の反対側から出射される。式（１）は依然として成立する。即ち、図４の中で示された、回折格子１４０を透過型回折格子として取り入れているカラーイメージ投射システム４００において、回折されたビーム１５０は依然として、順次Ｒ、Ｇ、又はＢビームのいずれか１つからなる。
【００１４】
ＬＣマイクロディスプレイパネル１１０は、当技術分野において周知のような任意の適切なＬＣマイクロディスプレイパネルを備えうる。しかしながら、投射型テレビの適用では、ＬＣマイクロディスプレイパネル１１０によるＲＧＢイメージの連続は、人間の目の応答時間より速くなければならない。例えば、映画画質並みの投射映像を達成するためには、典型的に２４フレーム／秒のフレームレートが要求される。各フレームはそれぞれ、ＲＧＢカラーの３つのサブフレーム（１つの赤サブフレーム、１つの緑サブフレーム及び１つの青サブフレーム）からなり、それは、２４フレーム／秒のフレームレートでは１カラーサブフレーム当たり平均約１４ミリ秒に相当する。したがって、ＬＣマイクロディスプレイパネル１１０は、インターレース又はプルダウン変換を行うソフトウェアを必要とせずに、現代の映画フレームレートと一致するためには１４ミリ秒よりもよい応答時間を有するべきである。例えば、２つの連続するビデオフレームに関する図５で概念的に示されるような、ＬＣマイクロディスプレイパネル１１０を駆動するのに使用されるＲ、Ｇ、及びＢカラーデータを考える。回折されたビーム１５０は、順にＲ、Ｇ及びＢコンポーネントに分解されて示されている。回折されたビーム１５０と入力してくるＲＧＢデータとの同期を維持するために、回折格子１４０（図１及び図４）は、回折されたビーム１５０が図示されたような入力データと同期するＲ、Ｇ及びＢコンポーネントを提供するように振動させられうる。しかし、当然のことながら、特別の設計及び／又は所望の色彩調整に適するために、回折ビーム１５０の連続が調節されうる。例えば、図３に示した超高圧ランプソースのスペクトル３００を再度考える。パワーがＲ、Ｇ及びＢの波長に集中しているが、それらの強度は等しくない。特に、Ｒ波長のパワーは、ＧとＢ波長のパワーより顕著に弱い。そのほか、異なるカラーへの人間の目の感度も波長に依存する。したがって、回折格子１４０は、回折ビーム１５０がＢ又はＧビームを含む期間よりＲビームを含む期間の方が長くなるように、振動させられうる。言いかえれば、回折ビーム１５０をＲビームとして形成するように回折格子１４０が適切な角度範囲内にとどまる期間が、ＢとＧのビームを生成するように別の角度範囲内にとどまる期間よりも長くなるように、回折格子１４０を移動させることが可能である。ＬＣマイクロディスプレイパネル１１０の時間順のカラー制御は、当技術分野で周知のようなＡＳＩＣ又はＤＳＰプロセッサ（図示せず）によってコントロールされうる。そのようなごく普通のＡＳＩＣかＤＳＰプロセッサは回折格子１４０の移動をもコントロールするようにさらに修正されうる。代替的に、回折格子１４０の移動をコントロールするために別個のプロセッサ、状態マシンあるいはアナログ制御装置（図示せず）を使用することも可能である。しかし、当然のことながら、カラースライド又はビューグラフ投射の適用では、ＬＣマイクロディスプレイパネル１１０の処理速度制限が相当緩和されうる。
【００１５】
当業者は、カラー投射システム１００及び４００が簡略化された形式で示されており、これらのシステムを完成するのに他の偏光フィルターのような多数の追加的なコンポーネントが必要であることを容易に理解できるであろう。ただし、これらの追加的なコンポーネントは公知のものであるため、ここでは図示しない。回折されたビーム１５０の幅にわたってより均一なビームパワーを提供するために、白色光ビーム１４５を回折格子１４０上にフォーカスするレンズアセンブリー１８０は、マイクロレンズアレイを備えうる。このマイクロレンズアレイは、シリアル番号10/758,989の「マイクロレンズアレイ」を標題とする同時係属中のアメリカ合衆国出願に記述されており、該出願の内容は、参照により本明細書の一部として取り入れられる。このようなマイクロレンズアレイは、ＬＣマイクロディスプレイパネル１１０の全領域にわたってより均一に分布された光強度を提供し、よって、投射されたイメージの光強度の分布、或いは輝度を改善しうる。
【００１６】
回折格子１４０の移動は、図６に示されたモーター７００のようなごく普通の電動モーターを使用して達成されうる。典型的には、回折格子１４０は、およそ１／２平方インチの大きさに過ぎないことが必要であり、Ｒ、Ｇ及びＢビームの適切な回折系列を得るするために１０度未満の角度範囲１６０内で振動されうる。したがって、モーター７００に対する要求がきわめて最少であり、これは、モーター７００の安価な設計の採用を可能にする。
【００１７】
多数の変更はシステム１００及び４００に対して行われうる。例えば、回折格子１４０は、カラーイメージ投射システム７００を示す図７の中で示されるような分散プリズム７０５に取替えられうる。残りのコンポーネントが、図１及び図４について議論したように整えられうる。当技術分野で周知のように、プリズム７０５は波長に依存して光を屈折する。したがって、ランプ１０５から受光した白色光は、Ｒ、Ｇ及びＢビームへ分解される。ある角度範囲１６０内でプリズム７００を振動させることにより、屈折したビームは、ＬＣマイクロディスプレイパネル１１０によって順に受光されて、適切な調整が適用される。有利なことに、プリズム７００は、回折格子２４０に使用された材料よりも酸化にもっと強い非晶質融解石英（合成水晶）のような頑丈な材料から形成されうる。当然のことながら、ここでプリズム７００は透過型プリズムとして構成されているが、反射型プリズム構成も同様に使用されうる。
【００１８】
別の実施の形態では、図１及び図４に示された単一回折格子２４０は、図８ａ及び図８ｂの平面図及び側面図にそれぞれ示されているような赤の光用の格子８０５、緑の光用の格子８１０、及び青の光用の格子８１５の３つの別個の格子に代替される。各格子は同じ角度で光を回折するように構成される。その後、ＬＣマイクロディスプレイパネル（図示せず）はこの角度で屈折された光を受光するように固定されうる。それによって、ＬＣマイクロディスプレイパネルは格子８０５、８１０及び８１５がマスク８３０内のウィンドウ８２０に関して横方向にシフトされるときに、Ｒ、Ｇ及びＢの回折光を順次受光する。格子８０５、８１０及び８１５は、図１及び図４に関して議論されたように反射型又は透過型の構成のいずか１つで形成されうる。格子８０５、８１０及び８１５をウィンドウ８２０に関して横方向に所望のレートでシフトさせるために、線形アクチュエータ（図示せず）あるいは他の適切なモーターが使用されうる。格子８０５、８１０及び８１５がウィンドウ８２０に関して移動する時にその横方向の移動速度を変更することによって、特定の色はより長い期間ＬＣマイクロディスプレイパネルに向けられうる。代替的に、同じ効果を得られるように格子８０５、８１０及び８１５の相対的な幅が変更されうる。さらに、格子をプリズムに代替することによって、同様の構成が形成されうる。
【００１９】
従って、以上では、特定の実施の形態に関して本願発明を説明したが、この説明は本願発明の適用の一例に過ぎず、本発明の限定として捉えるべきではない。従って、本発明の範囲は特許請求の範囲によって定められる。
【図面の簡単な説明】
【００２０】
【図１】本発明の一実施の形態に係る、単一ＬＣマイクロディスプレイパネル及び反射型回折格子を使用するカラーイメージ投射システムの図である。
【図２ａ】入射光ビーム及び反射型格子からの一次回折ビーム間の関係を示す図である。
【図２ｂ】入射光ビーム及び透過型格子からの一次回折ビーム間の関係を示す図である。
【図３】ＵＨＰランプの典型的なスペクトルを示す図である。
【図４】本発明の一実施の形態に係る、単一ＬＣマイクロディスプレイパネル及び透過型回折格子を使用するカラーイメージ投射システムの図である。
【図５】図１及び図４の単一ＬＣマイクロディスプレイパネル用の駆動イメージデータと、単一ＬＣマイクロディスプレイパネルに投射される分解されたＲ、Ｇ及びＢビームとの間の同期関係を示す図である。
【図６】図１及び図４の回折格子を振動させるように構成されたモーターを示す図である。
【図７】本発明の一実施の形態に係る、単一ＬＣマイクロディスプレイパネル及び分散プリズムを使用するカラーイメージ投射システムの図である。
【図８ａ】本発明の一実施の形態に係る、ＲＧＢ光を分解する３つの回折格子の配置を示す平面図である。
【図８ｂ】図８ａの３つの回折格子の配置を示す側面図である。
【図１】
2007524866.tif 000003
【図２ａ】
2007524866.tif 000004
【図２ｂ】
2007524866.tif 000005
【図３】
2007524866.tif 000006
【図４】
2007524866.tif 000007
【図５】
2007524866.tif 000008
【図６】
2007524866.tif 000009
【図７】
2007524866.tif 000010
【図８ａ】
2007524866.tif 000011
【図８ｂ】
2007524866.tif 000012
【手続補正書】
【提出日】平成18年9月8日(2006.9.8)
【手続補正１】
【補正対象書類名】特許請求の範囲
【補正対象項目名】請求項１０
【補正方法】変更
【補正の内容】
【請求項１０】
少なくとも１つの前記回折格子を移動させる前記ステップが、少なくとも１つの前記回折格子をある角度範囲内で振動させるステップを含む請求項９に記載のカラー投射方法。
【手続補正２】
【補正対象書類名】特許請求の範囲
【補正対象項目名】請求項１１
【補正方法】変更
【補正の内容】
【請求項１１】
前記入射する光ビームを提供する前記ステップが、
赤、緑及び青からなる群より選択された１つの異なる色をそれぞれ回折するように構成されている３つの回折格子のいずれか１つの上に入射する光ビームを提供するステップを含み、
少なくとも１つの前記回折格子を移動させる前記ステップが、
各回折格子が前記入射光ビームを順次回折して各々の選択された色にするように、３つの前記回折格子を前記入射光ビームに関して移動させるステップを含む請求項９に記載のカラー投射方法。
【手続補正３】
【補正対象書類名】明細書
【補正対象項目名】００１６
【補正方法】変更
【補正の内容】
【００１６】
回折格子１４０の移動は、図６に示されたモーター６００のようなごく普通の電動モーターを使用して達成されうる。典型的には、回折格子１４０は、およそ１／２平方インチの大きさに過ぎないことが必要であり、Ｒ、Ｇ及びＢビームの適切な回折系列を得るするために１０度未満の角度範囲１６０内で振動されうる。したがって、モーター６００に対する要求がきわめて最少であり、これは、モーター６００の安価な設計の採用を可能にする。
【手続補正４】
【補正対象書類名】明細書
【補正対象項目名】００１７
【補正方法】変更
【補正の内容】
【００１７】
多数の変更はシステム１００及び４００に対して行われうる。例えば、回折格子１４０は、カラーイメージ投射システム７００を示す図７の中で示されるような分散プリズム７０５に取替えられうる。残りのコンポーネントが、図１及び図４について議論したように整えられうる。当技術分野で周知のように、プリズム７０５は波長に依存して光を屈折する。したがって、ランプ１０５から受光した白色光は、Ｒ、Ｇ及びＢビームへ分解される。ある角度範囲１６０内でプリズム７０５を振動させることにより、屈折したビームは、ＬＣマイクロディスプレイパネル１１０によって順に受光されて、適切な調整が適用される。有利なことに、プリズム７０５は、回折格子１４０に使用された材料よりも酸化にもっと強い非晶質融解石英（合成水晶）のような頑丈な材料から形成されうる。当然のことながら、ここでプリズム７０５は透過型プリズムとして構成されているが、反射型プリズム構成も同様に使用されうる。
【手続補正５】
【補正対象書類名】明細書
【補正対象項目名】００１８
【補正方法】変更
【補正の内容】
【００１８】
別の実施の形態では、図１及び図４に示された単一回折格子１４０は、図８ａ及び図８ｂの平面図及び側面図にそれぞれ示されているような赤の光用の格子８０５、緑の光用の格子８１０、及び青の光用の格子８１５の３つの別個の格子に代替される。各格子は同じ角度で光を回折するように構成される。その後、ＬＣマイクロディスプレイパネル（図示せず）はこの角度で屈折された光を受光するように固定されうる。それによって、ＬＣマイクロディスプレイパネルは格子８０５、８１０及び８１５がマスク８３０内のウィンドウ８２０に関して横方向にシフトされるときに、Ｒ、Ｇ及びＢの回折光を順次受光する。格子８０５、８１０及び８１５は、図１及び図４に関して議論されたように反射型又は透過型の構成のいずか１つで形成されうる。格子８０５、８１０及び８１５をウィンドウ８２０に関して横方向に所望のレートでシフトさせるために、線形アクチュエータ（図示せず）あるいは他の適切なモーターが使用されうる。格子８０５、８１０及び８１５がウィンドウ８２０に関して移動する時にその横方向の移動速度を変更することによって、特定の色はより長い期間ＬＣマイクロディスプレイパネルに向けられうる。代替的に、同じ効果を得られるように格子８０５、８１０及び８１５の相対的な幅が変更されうる。さらに、格子をプリズムに代替することによって、同様の構成が形成されうる。
【国際調査報告】
2007524866.tif 000013